(57)【要約】【課題】マイクで収音した音をトリガとする装置に適したゴルフクラブを提供する。【解決手段】  ゴルフクラブは、打球により衝撃力が加わるヘッド３１と、ヘッド３１に固定され、衝撃力により特定の周波数で振動する共振部材３２とを備えている。このゴルフクラブによれば、共振部材３２がヘッド３１に固定されているので、共振部材３２が振動する特定の周波数の音がヘッド３１から放射され、特定の周波数の音の音圧が高くなる。また、雑音レベルは、一般に検出の対象となる周波数帯域が狭くなるほど低くなる。そのため、特定の周波数の音をトリガにすれば、ヘッド３１から放出される特定の周波数の音のレベルを高く保ったまま雑音レベルを低くすることができるので、マイクで収音した音をトリガとする装置が周囲の雑音により誤作動することを抑制することができる。【選択図】図３
2014008348.tif 000002
【特許請求の範囲】
【請求項１】
ゴルフクラブであって、
打球により衝撃力が加わるヘッドと、
前記ヘッドに固定され、前記衝撃力により特定の周波数で振動する共振部材と
を備えるゴルフクラブ。
【請求項２】
前記特定の周波数は、前記ヘッドの最低次の固有振動周波数よりも高い周波数である、
請求項１記載のゴルフクラブ。
【請求項３】
前記特定の周波数は、人の可聴域よりも高い周波数である、
請求項２記載のゴルフクラブ。
【請求項４】
前記共振部材は、交換可能に構成されている、
請求項１ないし３のいずれか記載のゴルフクラブ。
【請求項５】
前記ヘッドは、前記特定の周波数の音を特定の方向に選択的に放射するホーンを有している、請求項１ないし４のいずれか記載のゴルフクラブ。
【発明の詳細な説明】
【技術分野】
【０００１】
この発明は、ゴルフクラブに関し、特にマイクで収音した音をトリガとする装置に適したゴルフクラブに関する。
【背景技術】
【０００２】
ゴルフのショットの良否にはショットを行う際のスイングが大きく関わっているため、ゴルファーの多くは自身のスイングを改善することに関心を抱いている。そのため、スイングの改善を補助するための装置が種々提案されている。例えば、特許文献１では、ビデオカメラで撮像されたフォームを画像メモリに記憶し、マイクでショット音（インパクト音）が検出されたときに、その瞬間の前をも含む複数の時点におけるフォーム画像を静止画像やコマ送り画像として表示するフォームチェッカーが提案されている。また、特許文献２においても、マイクにより打撃音（インパクト音）を検出する練習システムが提案されている。
【先行技術文献】
【特許文献】
【０００３】
【特許文献１】特開平１１−２２１３０９号公報
【特許文献２】特開２００４−３５７９７７号公報
【発明の概要】
【発明が解決しようとする課題】
【０００４】
このようにマイクで収音したインパクト音をトリガとする装置では、周囲の雑音が誤ってインパクト音として判断され誤作動する虞がある。そこで、特許文献１のフォームチェッカーでは、誤作動を防ぐために、ローカットフィルタで高域成分のみを取り出すことで、歩行音や話し声等を検知しないようにしている。しかしながら、ローカットフィルタで高域成分のみを取り出しても、雑音の種類によっては雑音を十分に除去することができず、誤作動が発生する虞がある。
【０００５】
本発明は、上述した従来の課題を解決するためになされたものであり、マイクで収音した音をトリガとする装置に適したゴルフクラブを提供することを目的とする。
【課題を解決するための手段】
【０００６】
上記課題の少なくとも一部を達成するために、本発明のゴルフクラブは、打球により衝撃力が加わるヘッドと、前記ヘッドに固定され、前記衝撃力により特定の周波数で振動する共振部材とを備えることを特徴とする。この構成によれば、共振部材がヘッドに固定されているので、共振部材が振動する特定の周波数の音がヘッドから放射され、特定の周波数の音の音圧が高くなる。また、雑音レベルは、一般に検出の対象となる周波数帯域が狭くなるほど低くなる。そのため、特定の周波数の音をトリガにすれば、ヘッドから放出される特定の周波数の音のレベルを高く保ったまま雑音レベルを低くすることができるので、マイクで収音した音をトリガとする装置が周囲の雑音により誤作動することを抑制することができる。
【０００７】
前記特定の周波数は、前記ヘッドの最低次の固有振動周波数よりも高い周波数であるものとしても良い。一般に、インパクト音の主な周波数成分は、ヘッドの最低次の固有振動周波数であり、次数が高くなるに従って固有振動周波数の音は急速に小さくなる。そのため、特定の周波数を最低次の固有振動周波数よりも高くすることにより、ヘッドの固有振動周波数の音から特定の周波数の音を弁別することがより容易となる。
【０００８】
前記特定の周波数は、人の可聴域よりも高い周波数であるものとしても良い。特定の周波数を可聴域よりも高くすることにより、ユーザが聴取するインパクト音に与える影響を低減することができる。
【０００９】
前記共振部材は、交換可能に構成されているものとしても良い。この構成によれば、ゴルフクラブの個体毎に特定の周波数を変えることがより容易にとなる。そのため、複数のユーザが隣接してゴルフの練習をする際等において、隣のユーザがショットを行って発生する音により誤作動することを抑制することが容易となる。
【００１０】
前記ヘッドは、前記特定の周波数の音を特定の方向に選択的に放射するホーンを有しているものとしても良い。この場合、マイクを特定の方向に配置することにより、マイクにより収音される特定の周波数の音の音圧が高くなるので、周囲の雑音から特定の周波数の音をより容易に弁別することができる。
【図面の簡単な説明】
【００１１】
【図１】本発明を利用したゴルフのスイング映像記録システムを示す説明図。
【図２】マイクユニットの構成および機能を示す説明図。
【図３】第１実施例におけるヘッドの構成を示す説明図。
【図４】共振部材の変形例を示す説明図。
【図５】第２実施例におけるヘッドの構成を示す説明図。
【図６】第３実施例におけるヘッドの構成を示す説明図。
【図７】映像記録システムの変形例を示す説明図。
【発明を実施するための形態】
【００１２】
Ａ．第１実施例：
図１は、本発明を利用したゴルフのスイング映像記録システム１（以下、単に「映像記録システム１」とも呼ぶ）を示す説明図である。図１（ａ）は、映像記録システム１の使用状態を示している。映像記録システム１は、ビデオカメラ１１（以下、単にカメラ１１と呼ぶ）と、マイクユニット１２と、モニタ画面１３１を有するデータ処理装置１３とを備えている。カメラ１１およびマイクユニット１２は、データ処理装置１３に接続されている。
【００１３】
カメラ１１は、ユーザ（ゴルファー）２がショットをする際のスイングの全体像がカメラ１１のフレームに収まるように配置されている。マイクユニット１２は、周波数選択性と強指向性とを有するマイクであり、主としてユーザ２の方向で発生した特定の周波数の音を収音する。データ処理装置１３は、ＣＰＵ、ＲＯＭ、ＲＡＭ、および二次記憶装置（いずれも図示しない）を有するコンピュータとして構成されており、ＣＰＵがＲＯＭあるいはＲＡＭに格納されたプログラムを実行することにより種々の機能が実現される。二次記憶装置としては、ハードディスクドライブ（ＨＤＤ）やフラッシュメモリ等を使用することができる。
【００１４】
データ処理装置１３は、カメラ１１から入力された映像をリアルタイムでモニタ画面１３１上に表示する。これにより、ユーザ２は、自分のスイングの様子を見ることが可能となる。データ処理装置１３は、また、マイクユニット１２から入力された音に応じて、カメラ１１から入力された映像を画像データとして二次記憶装置に保存する。図１（ｂ）は、マイクユニット１２から入力された音に応じて映像を保存する処理（映像記録処理）の流れを示すフローチャートである。
【００１５】
ステップＳ１において、データ処理装置１３は、カメラ１１から入力された映像を予め割り当てられたメモリ領域（割当メモリ領域）に画像データとして格納する。割当メモリ領域に格納される画像データは、古い画像データから随時上書きされる。これにより、割当メモリ領域には、直近２〜３秒の映像が格納される。
【００１６】
ステップＳ２において、データ処理装置１３は、音響トリガが入力されたか否かを判断する。具体的には、データ処理装置１３は、マイクユニット１２から入力された特定の周波数の音（トリガ音）の音圧が所定の閾値を超えたか否かを判断する。音圧が所定の閾値を超えた場合には、音響トリガが入力されたと判断され、処理はステップＳ３に移される。一方、音圧が所定の閾値を超えていない場合には、音響トリガが入力されていないと判断され、処理はステップＳ１に戻される。
【００１７】
ステップＳ３において、データ処理装置１３は、音圧が所定の閾値を超えた時点（トリガポイント）の前後２秒の画像データを二次記憶装置に保存する。具体的には、データ処理装置１３は、割当メモリ領域に格納されたトリガポイント以前の２秒間の画像データと、トリガポイント以後の２秒間にカメラ１１から入力される映像の画像データとを二次記憶装置に保存する。画像データを保存する期間は、種々変更することができる。例えば、トリガポイント前の０．５〜５秒間およびトリガポイント後の０．１〜２秒間の期間の画像データを保存することも可能である。また、これらの期間をユーザ２が設定できるようにしても良い。二次記憶装置に画像データを保存する際には、先に保存された画像データを上書きしても良く、また、先に保存された画像データを上書きすることなく、二次記憶装置に画像データを蓄積しても良い。前者の場合、画像データの保存に使用される二次記憶装置の領域を小さくできる。後者の場合、複数回のスイングの映像を後からまとめて確認することが可能となる。
【００１８】
図１（ａ）に示すように、ユーザ２がゴルフクラブ３によりボール（図示しない）を打つと、ゴルフクラブ３のヘッド３１とボールとが衝突してインパクト音（打球音あるいは打音とも呼ばれる）が発生する。このインパクト音に含まれるトリガ音がマイクユニット１２により収音されることにより、インパクトの前後２秒のスイングの映像が記録される。ユーザ２は、このように記録されたスイング時の映像を再生することにより、自分のスイングをチェックし、練習に活用することができる。なお、第１実施例では、周囲の雑音により音響トリガが入力されたと誤判断されることを抑制するため、トリガ音が大きくなるようにヘッド３１が構成されている。
【００１９】
記録された映像の再生は、データ処理装置１３が音声認識プログラムを実行することにより認識するユーザ２の音声による指示に基づいて行われる。なお、映像の再生は、例えば、データ処理装置１３に設けられたボタンやタッチパネル等（いずれも図示しない）のユーザ２による操作に基づいて行うものとしても良い。但し、ユーザ２が離れていても再生された映像を見ることができる点で、ユーザ２の音声による指示に基づいて映像を再生するのが好ましい。また、ユーザ２の音声による指示を受け付けるために、ユーザ２の口元に別途マイクを設置し、当該マイクからデータ処理装置１３に無線データで音声を送信することも可能である。
【００２０】
図２は、マイクユニット１２の構成および機能を示す説明図である。図２（ａ）に示すように、マイクユニット１２は、トリガ音の波長λの間隔で配列された複数のマイク１２１（マイクアレイ）と、複数のマイク１２１を支持する支持棒１２２とにより構成されている。
【００２１】
図２（ｂ）は、マイクアレイによりトリガ音が増強される様子を示している。グラフに示すように、トリガ音の位相は、トリガ音の波長λの間隔で配列されたマイク１２１の位置で同一となる。そのため、個々のマイク１２１で収音された音を重畳することでトリガ音が増強され、インパクト音に含まれるトリガ音が選択的に収音される。これにより、周囲の雑音からトリガ音を弁別することができるので、雑音による映像記録システム１の誤作動を抑制することができる。なお、トリガ音の弁別は、例えば、収音された音を帯域通過フィルタ（ＢＰＦ）に通して特定の周波数の音を通過させることによっても可能であり、また、収音された音をＦＦＴ等によりスペクトル分析することによっても可能である。これらの場合、異なる周波数のトリガ音に対応することがより容易となる。一方、マイクアレイによりトリガ音を弁別する場合には、マイクユニット１２から出力される信号の処理を省略できるので、映像記録処理をより簡単に行うことができる。
【００２２】
図２（ｃ）は、マイクアレイにより指向性が高められる様子を示している。図２（ｃ）に示すように、音源から放射されたトリガ音の同一位相面（破線）は、半径差が波長λの複数の球面となる。そのため、マイクユニット１２が音源方向を向いている場合には、トリガ音が増強されるが、マイクユニット１２が音源方向を向いていない場合には、トリガ音が増強されない。このように、マイクユニット１２をトリガ音の波長λの間隔で配列された複数のマイク１２１で構成することにより、ユーザ２の方向で発生したトリガ音を選択的に収音することができる。そのため、ゴルフ練習場のように複数のユーザが隣接してゴルフの練習をする際に、隣のユーザのショットによって発生するトリガ音により自分の映像記録システム１が誤作動することを抑制することができる。なお、マイクアレイを構成する個々のマイク１２１の配列は、種々変更することが可能である。例えば、複数のマイク１２１を音源方向と垂直な平面上に配置し、各マイク１２１の出力を適宜遅延させたうえで重畳することによっても指向性を高くすることも可能である。なお、後述するように他のユーザのショットで発生するトリガ音の影響が低減できる場合や、周囲にショットを行う他のユーザがいない場合には、必ずしもマイクユニット１２の指向性を高める必要はない。この場合には、マイクアレイに換えて単一のマイクを使用することができる。
【００２３】
図３は、ゴルフクラブ３（図１（ａ））のヘッド３１の構成を示す説明図である。図３（ａ）の斜視図に示すように、ヘッド３１は、フェイス部３１１と、クラウン部３１２と、ソール部３１３と、トウ部３１４と、ヒール部３１５と、シャフトが差し込まれるホーゼル部３１６とを有している。ヘッド３１は、これらの各部３１１〜３１６が一体に形成された中空構造（シェル構造）となっている。
【００２４】
図３（ｂ）は、ヘッド３１をＡ−Ａ面で切断した断面を示している。図３（ｂ）に示すように、第１実施例のヘッド３１では、フェイス部３１１の内面にヘッド３１と一体に形成された片持ちハンマ形状の共振部材３２が設けられている。共振部材３２は、枠部３２１と、枠部３２１の略中央に配置されたハンマ部３２２と、枠部３２１およびハンマ部３２２を接続する接続部３２３とから構成されている。
【００２５】
ヘッド３１がボールと衝突すると、衝突の際の衝撃力によりヘッド３１自体がヘッド３１の全体形状で決定される固有振動モードで振動するとともに、共振部材３２のハンマ部３２２がハンマ部３２２および接続部３２３の形状で決定される周波数（共振周波数）で振動する。このハンマ部３２２の振動が接続部３２３と枠部３２１とを介してヘッド３１に伝達されることにより、ヘッド３１の固有振動モードの周波数（固有振動周波数）の音と、共振周波数の音とがヘッド３１から放射される。
【００２６】
共振周波数は、任意の周波数とすることが可能であるが、ヘッド３１の最低次の固有振動周波数よりも高くするのが好ましい。一般に、インパクト音の主な周波数成分は、ヘッド３１の最低次の固有振動周波数であり、次数が高くなるに従って固有振動周波数の音は急速に小さくなる。そのため、共振周波数を最低次の固有振動周波数よりも高くすることにより、ヘッド３１の固有振動周波数の音から共振周波数の音を弁別することが容易となる。さらに、共振周波数は、ヘッド３１の固有振動の影響を低減し、共振周波数の音をヘッド３１から放射させるのがより容易となるように、ヘッド３１の最低次の固有振動周波数の１０倍以上とするのがより好ましい。また、共振周波数は、可聴域よりも高い周波数とするのが好ましい。共振周波数を可聴域よりも高くすることにより、ユーザ２が聴取するインパクト音に影響を与えることなくトリガ音を発生させることができる。また、可聴域よりも高い周波数では、音が空気中を伝播する際の減衰量が大きくなるので、複数のユーザが隣接してゴルフの練習をする際に、隣のユーザのショットによって発生するトリガ音により自分の映像記録システム１が誤作動することを抑制することができる。
【００２７】
共振部材３２の共振周波数は、ゴルフクラブの種類（ドライバやアイアン等のゴルフクラブの種別、ゴルフクラブの番手、および、ゴルフクラブのモデル等）毎に異なる周波数としても良い。この場合、映像に併せてトリガ音として検出した音の周波数を記録することにより、ユーザ２は、ゴルフクラブの使用履歴を確認するとともに、使用したゴルフクラブの種類毎にスイングの様子を確認することが可能となる。また、トリガ音として検出した音の周波数のみを履歴として保存することも可能である。
【００２８】
また、共振部材３２の共振周波数は、同一種類のゴルフクラブにおいて個体毎に異なる周波数としても良い。具体的には、異なるユーザのゴルフクラブのヘッド３１の共振周波数ができるだけ異なるように、同一種類のゴルフクラブについて共振周波数が異なる複数のヘッド３１が準備される。このように、個体毎に共振周波数を変えることにより、複数のユーザが隣接してゴルフの練習をする際に、隣のユーザがショットを行って発生するトリガ音により自分の映像記録システム１が誤作動することを抑制することができる。
【００２９】
なお、ゴルフクラブの種類や個体毎に共振周波数を変える場合、ユーザ２が保有するゴルフクラブの共振周波数を映像記録システム１に登録できるようにするのが好ましい。共振周波数を映像記録システム１に登録可能にすれば、映像記録システム１は、他のユーザのゴルフクラブから放射されるトリガ音から、ユーザ２のゴルフクラブから放射されるトリガ音を弁別することができる。共振周波数の登録は、例えば、ユーザ２が保有するゴルフクラブの型番と製造番号（ゴルフクラブのＩＤ）を入力し、映像記録システム１が型番と製造番号に基づいてデータベースから共振周波数を検索することにより行うことができる。また、映像記録システム１においてユーザ２の操作に基づいて起動される登録モードが実行されている際に、ユーザ２がショットを行い、その際に収音された所定の周波数帯域内の音の周波数を登録するものとしても良い。さらに、ユーザ２が共振周波数を映像記録システム１に直接入力することにより共振周波数を登録することも可能である。
【００３０】
ヘッド３１に設けられる共振部材は、図３（ｂ）に示す片持ちハンマ形状の他、両持ちハンマ形状等、種々の形状とすることができる。図４は、このような共振部材の変形例を示す説明図である。共振部材３２ａは、例えば、図４（ａ）に示すように音叉形状としてもよい。この場合、共振周波数は、音叉の枝部の形状によって決定される。また、共振部材３２ｂを図４（ｂ）に示すように柱状としても良い。この場合、共振周波数は、フェイス部３１１の厚さと共振部材３２ｂの厚さとを合わせた厚さ（実効厚）によって決定される。共振周波数は、具体的には、フェイス部３１１および共振部材３２ｂ中における音波の波長が実効厚の２倍となる周波数になる。さらに、図４（ｃ）に示すように、ヘッド３１ｃ内に複数の共振部材３２ｃをトウ部３１４からヒール部３１５に向かって配列することも可能である。この場合、個々の共振部材３２ｃの共振周波数を変えることにより、ボールの衝突位置を把握することが可能である。
【００３１】
なお、第１実施例では、共振部材３２をフェイス部３１１の内面に設けているが、共振部材は、ヘッド３１の内部であれば、クラウン部３１２、ソール部３１３、トウ部３１４、あるいは、ヒール部３１５等の任意の部分の内面に設けることが可能である。また、共振部材３２は、これらの部分３１１〜３１５のいずれか一つに限らず、複数の部分に渉って設けるものとしても良い。このようにしても、ヘッド３１はシェル構造となっているので、ヘッド３１と一体に形成された共振部材３２からの振動は、ヘッド３１の全体に伝達され、ヘッド３１からはトリガ音が放射される。
【００３２】
Ｂ．第２実施例：
図５は、第２実施例におけるヘッド３１ｄの構成を示す説明図である。図５（ａ）は、ヘッド３１ｄの斜視図であり、図５（ｂ）は、ヘッド３１ｄをＢ−Ｂ面で切断した断面を示している。図５（ｂ）に示すように、第２実施例では、ヘッド３１ｄ自体には共振部材を設けず、ヘッド３１ｄのヒール部３１５ｄに取り付けられる錘３３ｄに共振部材３４ｄが設けられている。他の点は、第１実施例と同様である。
【００３３】
図５（ｂ）に示す錘３３ｄは、外径が小さい小径部３３１ｄと、小径部３３１ｄよりも外径が大きい大径部３３２ｄとを有しており、小径部３３１ｄおよび大径部３３２ｄには、外側に向かって開口した穴３３３ｄが設けられている。錘３３ｄは、小径部３３１ｄに設けられた図示しないネジによりヘッド３１ｄに固定される。共振部材３４ｄは、穴３３３ｄの底から外側の位置に配置されている。これにより、共振部材３４ｄが外部空間に接続した穴３３３ｄに位置するため、共振部材３４ｄから発せられるトリガ音がより効率良く外部に放射されるので、マイクユニット１２により収音されるトリガ音の音圧が高くなる。そのため、映像記録システム１（図１（ａ））は、周囲の雑音からトリガ音をより容易に弁別することができる。また、錘３３ｄに共振部材３４ｄを設けることにより、ゴルフクラブの個体毎に共振周波数を変えるのがより容易となる。なお、図５（ｂ）の例では、共振部材３４ｄを音叉形状としているが、第１実施例で説明したように、共振部材の形状は種々変更可能である。
【００３４】
図５（ｃ）は、錘の変形例を示している。図５（ｃ）に示す錘３３ｅは、小径部３３１ｅおよび大径部３３２ｅに設けられた穴３３３ｅが内側に向かって開口している点と、共振部材３４ｅが穴３３３ｅの底から内側の位置に配置されている点とで、図５（ｂ）に示す錘３３ｄと異なっている。この場合においても、錘３３ｅに共振部材３４ｅを設けることにより、ゴルフクラブの種類や個体毎に共振周波数を変えるのがより容易となる。また、穴３３３ｅが外部に開口していないため、スイング時に穴３３３ｅに気流が巻き込まれることが抑制され、気流の巻き込みによる空気抵抗の増加や音の発生を抑制できる。
【００３５】
なお、第２実施例では、ヘッド３１ｄに取り付けられる錘３３ｄ、３３ｅに共振部材３４ｄ、３４ｅを設けているが、一般的には、共振部材が交換可能であれば良く、例えば、錘とは別個に取り付けられる脱着可能な部材に共振部材を設けるものとしても良く、あるいは、共振部材を脱着可能な状態で直接ヘッドに取り付けるものとしても良い。また、第２実施例では、共振部材３４ｄ、３４ｅを、ヒール部３１５ｄのソール側の位置に取り付けているが、共振部材の取り付け位置は、ヒール部のクラウン側、トウ部３１４、フェイス部３１１と対向するバック部等、任意の位置に変更することが可能である。
【００３６】
Ｃ．第３実施例：
図６は、第３実施例におけるヘッド３１ｆ，３１ｇの構成を示す説明図である。第３実施例は、ヘッド３１ｆ、３１ｇの外形が異なっている点で、第１実施例と異なっている。他の点は第１実施例と同様である。図６は、ヘッド３１ｆ，３１ｇをＢ−Ｂ面（図５（ａ）参照）で切断した断面を示している。図６（ａ）に示すヘッド３１ｆでは、トウ部３１４ｆに肉厚の肉厚部３５１ｆ，３５２ｆが設けられ、２つの肉厚部３５１ｆ，３５２ｆの間に外面が凹形状の凹部３５３ｆが形成されている。図６（ｂ）に示すヘッド３１ｇは、トウ部３１４ｇを凹ませることにより凹部３５３ｇを形成している点で、図６（ａ）に示すヘッド３１ｆと異なっている。他の点は、図６（ａ）に示すヘッド３１ｆと同様である。
【００３７】
これらのヘッド３１ｆ、３１ｇにおいて、凹部３５３ｆ，３５３ｇは、ヘッド３１ｆ，３１ｇ中における波長が凹部３５３ｆ，３５３ｇの長さよりも短い音に対して音響レンズ（ホーン）として機能する。そのため、凹部３５３ｆ，３５３ｇの形状で決定される所定の周波数よりも周波数の高い音は、トウ部３１４ｆ，３１４ｇの方向（トウ方向）に集束する。そこで、共振部材３２の共振周波数を当該所定の周波数よりも高くすることにより、共振部材３２が発生するトリガ音は、トウ方向に選択的に放射される。このとき、トウ方向に配置されたマイクユニット１２を配置すると、マイクユニット１２により収音されるトリガ音の音圧が高くなるので、周囲の雑音からトリガ音をより容易に弁別することができる。さらに、可聴域よりも高い周波数の音は直進性が高いので、共振周波数を可聴域よりも高くすると、凹部３５３ｆ、３５３ｇから放射される音は、周りにあまり広がらずにマイクユニットに到達する。そのため、共振周波数を可聴域よりも高くすることにより、マイクユニット１２により収音されるトリガ音の音圧をより高くすることができる。
【００３８】
なお、図６の例では、トウ部３１４ｆ，３１４ｇに凹部３５３ｆ，３５３ｇを設けているが、凹部は、ヒール部３１５、クラウン部３１２、フェイス部３１１と対向するバック部分等、所望のトリガ音の放射方向に応じて適宜変更することができる。ゴルフ練習場のように複数のユーザが隣接してゴルフの練習をする場合には、凹部をバック部分に設け、他のユーザの映像記録システム１が誤作動しないように、他のユーザがいないバック方向にトリガ音を放射するのが好ましい。この場合、共振周波数を可聴域よりも高くすることにより、他のユーザの映像記録システム１のマイクユニット１２にトリガ音が到達するのをさらに抑制することができる。
【００３９】
Ｄ．変形例：
本発明は上記実施形態や限られるものではなく、その要旨を逸脱しない範囲において種々の態様において実施することが可能であり、例えば、次のような変形も可能である。
【００４０】
Ｄ１．変形例１：
上記各実施例における映像記録システム１（図１（ａ））では、ユーザ２のスイングフォームを撮影するためのカメラ１１と、トリガ音を収音するためのマイクユニット１２と、データ処理装置１３とがそれぞれ別体となっているが、カメラ１１およびマイクユニット１２の少なくとも一方と、データ処理装置１３とを一体に構成することも可能である。このような映像記録システムは、例えば、図７に示すように、モニタ画面１４１と同一方向にカメラ１４２が設けられたタブレット型端末１４で実現することが可能である。この場合、タブレット型端末１４が有するマイク１４３によりトリガ音を収音するものとしても良い。また、映像記録システムとして、タブレット型端末１４の他、スマートフォンや電子書籍端末等を用いても良い。このように、映像記録システムをタブレット型端末１４やスマートフォン等で実現した場合、映像記録システムの持ち運びが容易となる。なお、タブレット型端末１４等を地面に置く場合、モニタ画面１４１がユーザ２（図１（ａ））の顔の方を向くようにスタンドを用いてタブレット型端末１４等を立てるのが好ましい。
【００４１】
また、タブレット型端末１４のモニタ画面１４１は、通常、タッチパネルとなっており、ユーザ２の指のモニタ画面１４１への接触を検知することができる。そこで、タブレット型端末１４が指によるモニタ画面１４１上の２点の指示を取得し、当該２点を結ぶ直線をモニタ画面１４１上に表示するものとしても良い。このようにすれば、図７に示すように、スイング時の映像に基準となる線を重ね合わせて表示することができるので、ユーザ２は、より容易にスイングの軌跡を分析することが可能となる。指による２点の指示は、例えば、ユーザ２による指示に基づいて開始され、通常の動作モードと異なるライン記入モードにおいて取得される。また、モニタ画面１４１上の２点の指示に換えて、モニタ画面１４１に接触している指の軌跡に基づいてモニタ画面１４１上に線を表示することも可能である。さらに、モニタ画面１４１の表面に塗料やインクを拭き取り可能にする保護シートが取り付けられている場合、直接モニタ画面１４１に線を引くこともできる。なお、ここでは、タブレット型端末１４を使用した場合について説明したが、図１（ａ）のように単独のデータ処理装置１３を用いた場合においても、モニタ画面１３１がタッチパネルとなっているか、あるいは、保護シートを有する場合には同様に線の表示等を行うことが可能である。
【００４２】
Ｄ２．変形例２：
上記各実施例では、本発明をシェル構造を有するドライバのヘッド３１〜３１ｇに適用しているが、本発明は、一体に形成されたヘッドであれば、アイアンやパター等の種々のヘッドに適用することが可能である。これらの場合においても、ヘッドと一体に形成され、あるいは、ヘッドに固定される錘に設けられることによりヘッドに固定された共振部材を使用することにより、ヘッドから特定の周波数のトリガ音を放出させることができる。そのため、トリガ音に応じてスイング時の映像を記録することが可能となる。
【符号の説明】
【００４３】
１…映像記録システム、２…ユーザ、３…ゴルフクラブ、１１…ビデオカメラ、１２…マイクユニット、１３…データ処理装置、１４…タブレット型端末、３１〜３１ｇ…ヘッド、３２〜３２ｃ…共振部材、３３ｄ，３３ｅ…錘、３４ｄ，３４ｅ…共振部材、１２１…マイク、１２２…支持棒、１３１…モニタ画面、１４１…モニタ画面、１４２…カメラ、１４３…マイク、３１１…フェイス部、３１１…フェイス部、３１２…クラウン部、３１３…ソール部、３１４，３１４ｆ，３１４ｇ…トウ部、３１５，３１５ｄ…ヒール部、３１６…ホーゼル部、３２１…枠部、３２２…ハンマ部、３２３…接続部、３３１…小径部、３３１ｄ，３３１ｅ…小径部、３３２ｄ，３３２ｅ…大径部、３３３ｄ，３３３ｅ…穴、３５１ｆ，３５２ｆ…肉厚部、３５３ｆ，３５３ｇ…凹部
【図１】
2014008348.tif 000003
【図２】
2014008348.tif 000004
【図３】
2014008348.tif 000005
【図４】
2014008348.tif 000006
【図５】
2014008348.tif 000007
【図６】
2014008348.tif 000008
【図７】
2014008348.tif 000009